(57)【要約】【課題】直流電位と交流電位とを同時に印加することにより施術を行うことのできる電位治療装置の提供。【解決手段】直流電源と、直流電源を後記交流電源とは独立に制御する直流電源制御部と、前記直流電源に連結された電流抑制のための第一抵抗と、第一抵抗に連結された後記第二治療導子と離間して同時に体表面に接触させるための第一治療導子と、交流電源と、交流電源を前記直流電源とは独立に制御する交流電源制御部と、交流電源に連結された電流抑制のための第二抵抗と、第二抵抗に連結された前記第一治療導子と離間して同時に体表面に接触させるための第二治療導子とからなる電位治療装置を提供する。【選択図】図２
2019129908.tif 000002
【特許請求の範囲】
【請求項１】
直流電源と、
直流電源を後記交流電源とは独立に制御する直流電源制御部と、
前記直流電源に連結された電流抑制のための第一抵抗と、
第一抵抗に連結された後記第二治療導子と離間して同時に体表面に接触させるための第一治療導子と、
交流電源と、
交流電源を前記直流電源とは独立に制御する交流電源制御部と、
交流電源に連結された電流抑制のための第二抵抗と、
第二抵抗に連結された前記第一治療導子と離間して同時に体表面に接触させるための第二治療導子と
からなる電位治療装置。
【請求項２】
前記直流電源制御部は、第一治療導子の電圧を最大４５０ボルトまで制御できる請求項１に記載の電位治療装置。
【請求項３】
前記交流電源制御部は、第二治療導子の電圧を最大１５００ボルトまで制御できる請求項１又は請求項２に記載の電位治療装置。
【請求項４】
さらに前記第一治療導子又は／及び前記第二治療導子を体表面に接触させた状態で仮固定する導子仮固定部を有する請求項１から請求項３のいずれか一に記載の電位治療装置。
【請求項５】
前記第一治療導子は複数備えられている請求項１から請求項４のいずれか一に記載の電位治療装置。
【請求項６】
前記第二治療導子は複数備えられている請求項１から請求項５のいずれか一に記載の電位治療装置。
【発明の詳細な説明】
【技術分野】
【０００１】
本発明は、直流電位と交流電位とを同時に人体に印加することで治療を行う電位治療装置に関する。
【背景技術】
【０００２】
従来、人体に電位を印加することで治療を行う電位治療装置は多数存在している。これらは、直流電位を用いるものや、交流電位を用いるものがある。直流電位と交流電位とを同時に人体に付与することを目的とした電位治療装置はないが、直流電位と交流電位との両者を交互に使用することを目的としたものはあった。
【０００３】
特許文献１では、切替えにより、直流または交流の高電位を人体に対して印加することが可能な電位治療器が開示されている。本治療器は、高電位を出力する治療用導子を具備する通電布に患者を座らせて直流または交流の出力を選択することにより治療を行う。また特許文献２では、直流と交流とを交互に印加することにより治療効果を高める電位治療器が開示されている。具体的にはタイマによる計時に基づいて一定時間ごとに直流と交流を切替えて人体に接触する電極面に対して出力する。
【先行技術文献】
【特許文献】
【０００４】
【特許文献１】特開平１０−３００６７３
【特許文献２】特開平１０−２３００６５
【発明の概要】
【発明が解決しようとする課題】
【０００５】
上記文献で開示されている装置は、直流電位と交流電位の印加を切替えることにより治療を行うものであり、同時に直流電位と交流電位を印加するものではない。一方、直流電位と交流電位を同時に印加することは、人体にとって危険であるとの常識が医学界、鍼灸界、整体師等の業界に存在している。しかし、本発明者は、直流電位と交流電位とを同時に人体に付与することで、直流電位単独、交流電位単独による治療効果に優る治療効果があるのではないかと考えていた。
【課題を解決するための手段】
【０００６】
上記課題に対して本発明では、直流電源と、直流電源を後記交流電源とは独立に制御する直流電源制御部と、前記直流電源に連結された電流抑制のための第一抵抗と、第一抵抗に連結された後記第二治療導子と離間して同時に体表面に接触させるための第一治療導子と、交流電源と、交流電源を前記直流電源とは独立に制御する交流電源制御部と、交流電源に連結された電流抑制のための第二抵抗と、第二抵抗に連結された前記第一治療導子と離間して同時に体表面に接触させるための第二治療導子とからなる電位治療装置を提供する。
【０００７】
また、上記特徴に加えて、前記直流電源制御部は、第一治療導子の電圧を最大４５０ボルトまで制御できる電位治療装置を提供する。
【０００８】
また、上記特徴に加えて、前記交流電源制御部は、第二治療導子の電圧を最大１５００ボルトまで制御できる電位治療装置を提供する。
【０００９】
さらに、上記特徴に加えて、前記第一治療導子又は／及び前記第二治療導子を体表面に接触させた状態で仮固定する導子仮固定部を有する電位治療装置を提供する。
【００１０】
さらに、上記特徴に加えて、前記第一治療導子は複数備えられている電位治療装置を提供する。
【００１１】
さらに、上記特徴に加えて、前記第二治療導子は複数備えられている電位治療装置を提供する。
【発明の効果】
【００１２】
本発明の電位治療装置では、直流電位と交流電位を同時に印加することにより、直流電位のみや交流電位のみを印加する場合に比べ、高い治療効果を得ることができた。
【００１３】
本発明の電位治療装置の効能としては、肩こり、頭痛、不眠症、慢性便秘などの他、ワクチンの後遺症、糖尿病、各種腫瘍などに対して有効である。
【図面の簡単な説明】
【００１４】
【図１】実施例にかかる電位治療装置の利用場面の概要を示す図
【図２】実施例にかかる電位治療装置の機能的構成の一例を示す図
【図３】実施例にかかる電位治療装置の制御パネルの一例を示す図
【図４】実施例にかかる電位治療装置の導子の一例を示す図
【図５】実施例にかかる電位治療装置の回路の一例を示す図
【図６】体内のたんぱく質分子を模した図
【図７】人体に電位を印加してたんぱく質分子が電界より受ける力をグラフに示した図
【発明を実施するための形態】
【００１５】
以下、本件発明の実施の形態について、添付図面を用いて説明する。本件発明は、実施例に何ら限定されるべきものではなく、その要旨を逸脱しない範囲において、種々なる態様で実施し得る。
【実施例１】
【００１６】
＜概要＞
図１は本実施例にかかる電位治療装置の利用場面の概要を示した図である。この図に示すように施術者（０１０１）が患者（０１０２）に対して施術を行っている。患者（０１０２）が横になっているベッド（０１０３）は、絶縁体を有しており、床面に電流が流れることによって患者（０１０２）の人体に電流が生じてしまうのを防いでいる。施術者は治療装置（０１０４）に接続された二つの治療導子を用いて施術を行う。この図では施術者は第一の治療導子（０１０５）を手で保持しており、これを患者（０１０２）の人体に接触することで施術を行っている。第二の治療導子（０１０６）は前記第一の治療導子から離れたところ、例えば３０ｃｍ離れた位置などに貼付することにより人体と接触している。
【００１７】
＜機能的構成＞
図２は本実施例にかかる電位治療装置の機能的構成の一例を示す図である。この図にあるように、本実施例の電位治療装置（０２００）は、直流電源（０２０１）と、直流電源制御部（０２０２）と、第一抵抗（０２０３）と、第一治療導子（０２０４）と、交流電源（０２０５）と、交流電源制御部（０２０６）と、第二抵抗（０２０７）と、第二治療導子（０２０８）と、からなる。
【００１８】
「直流電源」（０２０１）は、直流電位を人体に印加するための電圧を提供する。具体的には、交流１００Ｖ等で提供される家庭用電灯線等にコンセント（０２０９）を介して接続し、整流をすることで直流に変換する。変換された直流は第一治療導子（０２０４）を介して人体に直流電位を印加する。図２では直流電源（０２０１）はプラス側が接地され、マイナスの電位を印加しているが、マイナス側を接地して、プラス電位を印加する態様でもよい。
【００１９】
「直流電源制御部」（０２０２）は、直流電源を後記交流電源とは独立に制御する機能を有する。具体的には制御パネルにおいて出力電圧の調節を行ったり、タイマ等で施術時間を管理したりといった制御を行う。図３は本実施例にかかる電位治療装置の制御パネルの一例を示す図である。この図にあるように、直流（０３０１）と交流（０３０２）とで制御系が分かれており、独立して制御が可能である。また、可変抵抗などを用いて出力電圧の調整を行う調整つまみ（０３０３）や、出力電圧や電流を表示するメータ（０３０４、０３０５）等が制御パネルに配されている。また、治療導子に対して電位を出力する出力ジャック（０３０６、０３０７）や、タイマ設定用つまみ（０３０８）が配されていてもよい。
【００２０】
出力電圧に関して、直流電源制御部（０２０２）は第一治療導子の電圧を最大４５０ボルトまで制御できるものが望ましい。４５０ボルト以下としたのは、４５０ボルトより高い電圧としても治療効果が上がらないばかりか、かえって人体に悪影響を与える可能性が否定できないからである。
【００２１】
「第一抵抗」（０２０３）は、前記直流電源に連結され電流抑制のための機能を有する。直流電源と第一治療導子の間に配し、何らかの要因で過電流が発生し、人体に大きな電流が流れてしまうといった事態を防いでいる。抵抗値はメガオームのオーダーとなり、例えば電流を１ｍＡ以下に抑制するために、５００Ｖ〜１５００Ｖの電圧に対して、５ＭΩ〜１５ＭΩの抵抗などを用いる。
【００２２】
「第一治療導子」（０２０４）は、第一抵抗に連結され、第二治療導子と離間して同時に体表面に接触させるための機能を有する。ここで「導子」とは、直流電位を印加するために患者の皮膚に接触させる器具を指す。導子の態様としては図４（ａ）〜（ｃ）示すように、金属製（０４０１）やゴム製（０４０２）であって皮膚に貼付する態様のものや、ペン型で局所的に皮膚と接触させる態様（０４０３）のもの等がある。金属製とゴム製の導子の相違点は、ほぼ抵抗のない金属製の導子に対して、ゴム製の導子は微小な抵抗がある点である。これにより、皮膚に接触させた際に人体に対して異なる電界分布を構成することができ、患者の状態に合わせて導子を選択することが可能である。なお、第一治療導子（０２０４）は複数備えられ、同時に複数の患者の施術が可能な態様であってもよい。
【００２３】
さらに、本実施例の電位治療装置は前記第一治療導子および後記第二治療導子を体表面に接触させた状態で仮固定する導子仮固定部（図示せず）を有していてもよい。「仮固定」とは、接着剤や吸盤などを用いて導子が人体から離れてしまわないように固定し、取り外しの際には容易に取り外すことのできる態様で固定するという趣旨である。
【００２４】
なお、前記第一治療導子および後記第二治療導子においては、略棒状の導子を保持して皮膚表面を点打するといった接触の治療態様も有効である。これは特に第二治療導子を用いて交流電位を印加する際に治療効果が顕著である。
【００２５】
「交流電源」（０２０５）は、交流電位を人体に印加するための電圧を提供する。一般に家庭用の電灯線の場合には交流１００ボルトや交流２００ボルトなどが供給されるが、本実施例の電位治療装置はそれ以上の電圧を人体に印加する。このため変圧処理が必要となりそのための変圧器等を有する。交流電源の周波数であるが、家庭用電灯線の周波数のままの５０ヘルツまたは６０ヘルツとしてもよい。
【００２６】
「交流電源制御部」（０２０６）は、交流電源を前記直流電源とは独立に制御する。直流電源制御部（０２０２）と同様に、制御パネル等から可変抵抗などにより電圧の調整などを行ったり、タイマ等で施術時間の管理を行ったりといった制御を行う。
【００２７】
交流電源制御部（０２０６）の制御により、第二治療導子の電圧を最大１５００ボルト以下とすると施術に対する治療効果が高くなる。１５００ボルトより高い電圧を採用しても効果が上がりにくく、患者の皮膚を傷つけてしまう可能性があるため不適である。
【００２８】
「第二抵抗」（０２０７）は、前記交流電源に連結され電流抑制のための機能を有する。第一抵抗（０２０３）と同様に、交流電源と第二治療導子の間に配し、何らかの要因で過電流が発生し、人体に電流が流れてしまうといった事態を防いでいる。
【００２９】
「第二治療導子」（０２０８）は、第二抵抗に連結され、第一治療導子と離間して同時に体表面に接触させるための機能を有する。ここで「導子」とは、交流電位を印加するために患者の皮膚に接触させる器具を指す。導子の形態としては、第一治療導子（０２０４）と同様、皮膚に貼付する態様のものや、ペン型で局所的に皮膚と接触させる態様のものなどがある。なお、第二治療導子（０２０８）は複数備えられていてもよい。
【００３０】
図５は本実施例にかかる電位治療装置の回路図の一例を示す図である。この図にあるように、交流電源（０５０１）（１００Ｖ、５０Ｈｚまたは６０Ｈｚ）から直流回路と交流回路とが分岐している。電源には昇圧用トランス（０５０２、０５０３）が接続されており、１００Ｖから電圧を昇圧させている。直流回路の方には整流用ダイオード（０５０４）が接続されており、電圧の平滑用コンデンサ（０５０５）をも備えている。出力電圧はそれぞれ可変抵抗器（０５０６、０５０７）により調節可能である。出力端子（０５０８、０５０９）の手前には過電流を回避するため制限抵抗（０５１０、０５１１）が接続されている。
【００３１】
上記の通り本発明は直流電位と交流電位とを同時に印加することで治療効果を得ている。以下にその効果をもたらす作用機序について説明する。
【００３２】
人体の大部分はたんぱく質で構成されている。たんぱく質の劣化要因として糖化と酸化があげられる。近年の研究では、この糖化と酸化が種々の疾患をもたらしていると考えられている。糖化反応や酸化反応により、たんぱく質に劣化原因となる分子が付着する。そこで、本発明ではたんぱく質に電位を与えて物理的に振動させ、これらの付着物を物理的に除去することを考えた。
【００３３】
図６は体内のたんぱく質分子を模した図である。この図にあるように、体内のたんぱく質の分子（０６０１）は何らかの理由、あるいは直流電位のもたらす電界により、分極して存在すると考えられる。このため、直流電位を印加して電界を発生させると、一定の方向に電界より力を受けるものと考えられる。この状態の分子に対して交流電位をさらに印加すると、分子に対して大きく揺さぶるような振動を生じさせる力が働く。この振動により糖化や酸化の原因となっている結合物（０６０２、０６０３）を除去することができるものと考える。
【００３４】
図７（ａ）、（ｂ）は人体に電位を印加してたんぱく質分子が電界より受ける力をグラフに示した図である。図７（ａ）は交流電位のみを人体に印加した時に、たんぱく質分子が電界より受ける力の大きさを示している。図７（ｂ）は交流電位に加え、直流電位をも印加した時のたんぱく質分子が電界より受ける力の大きさを示している。このように、交流電位と直流電位とを同時に印加することで、たんぱく質分子がより大きな力を電界より受けることで振動させ、効果的に有害な結合物を除去することができる。また、直流電位を印加する第一治療導子と交流電位を印加する第二治療導子とは離間して人体に接触させているので、両導子により印加する電圧は比較的低いもので十分であり、一の導子に高電圧をかけて人体に接触させるといった危険を排除することができる点も本発明の特徴である。
【符号の説明】
【００３５】
０２００  電位治療装置
０２０１  直流電源
０２０２  直流電源制御部
０２０３  第一抵抗
０２０４  第一治療導子
０２０５  交流電源
０２０６  交流電源制御部
０２０７  第二抵抗
０２０８  第二治療導子
【図１】
2019129908.tif 000003
【図２】
2019129908.tif 000004
【図３】
2019129908.tif 000005
【図４】
2019129908.tif 000006
【図５】
2019129908.tif 000007
【図６】
2019129908.tif 000008
【図７】
2019129908.tif 000009